(57)【要約】      （修正有）【課題】電気掃除機から伸びている集塵管に装着される吸引ノズルにおいて、掃除を行う場所に適した形状に変形させることができる吸引ノズルを提供する。また、前記吸引ノズルを備え、自立させることができる縦型電気掃除機を提供する。【解決手段】吸引ノズル１をなす塵の吸引部を、第１吸引部をなす第１の軸体１０と、第２吸引部をなす一対の第２の軸体２０とから構成した。第１の軸体の両端部に、第２の軸体を連結させる水平軸動部３０を備える。第２の軸体の一方の端部を、水平軸動部に水平に軸動可能に連結する。各々の第２の軸体の他方の端部を前方に軸動させて、第１の軸体の軸線と前記一対の第２の軸体の軸線とが前方に鋭角をなす三角形形状とされても、各々の前記他方の端部を開いて第１の軸体の軸線と前記一対の第２の軸体の軸線とが直線状とされても、塵の吸引を可能とする。【選択図】図１
2020130244.tif 000002
【特許請求の範囲】
【請求項１】
電気掃除機本体から伸びている集塵管に装着される吸引ノズルであって、
塵の吸引部が、第１吸引部をなす第１の軸体と、第２吸引部をなす一対の第２の軸体とを含み、
第１の軸体が軸線に沿って第１スリットを有する筒体とされると共に、第１の軸体の中央部に前記集塵管に装着される筒部を備え、第１の軸体の両端部に第２の軸体を連結させる水平軸動部を備え、
前記一対の第２の軸体の各々が、軸線に沿って第２スリットを有する筒体とされ、一方の端部が前記水平軸動部に水平に軸動可能に連結されると共に、他方の端部が自由端とされ、
各々の前記他方の端部を前方に軸動させて、第１の軸体の軸線と、前記一対の第２の軸体の軸線とが前方に鋭角をなす三角形形状とされても、各々の前記他方の端部を開いて第１の軸体の軸線と、前記一対の第２の軸体の軸線とが直線状とされても、第１スリットと一対の第２スリットとから塵の吸引が可能とされている、
ことを特徴とする吸引ノズル。
【請求項２】
前記各々の第２の軸体の長さが等しくされている、
ことを特徴とする請求項１に記載の吸引ノズル。
【請求項３】
各々の水平軸動部が、閉鎖手段と付勢手段とを備え、
前記閉鎖手段は、紐体と複数の係止部とからなり、
前記紐体の一方の端部が、第１の軸体に沿って伸びると共に各々の前記付勢手段に連結され、前記紐体の他方の端部が前記係止部のいずれかに係止され、
前記紐体をいずれの係止部に係止させるかにより、第２の軸体を閉鎖する角度が変えられ、
前記付勢手段が、第２の軸体を開くように付勢させ、
第１の軸体に最も近い係止部に前記紐体を係止させると共に前記付勢手段に付勢させ、第２の軸体を開いて、第１の軸体と各々の第２の軸体とが直線状とされる、
ことを特徴とする請求項１又は請求項２に記載の吸引ノズル。
【請求項４】
第２の軸体に形成された第２スリットが、第２の軸体の軸心の周りに軸動可能とされ、
第２スリットが向いた方向から、塵の吸引が可能とされている、
ことを特徴とする請求項１乃至請求項３のいずれか一項に記載の吸引ノズル。
【請求項５】
各々の第２の軸体は、前記他方の端部に切欠き部を備え、
前記切欠き部が、前記他方の端部の向かい合う側に斜めに切り欠かれ、各々の前記他方の端部が前方に閉じられて、左右の第２スリットの間隔が縮小される、
ことを特徴とする請求項１乃至請求項４のいずれか一項に記載の吸引ノズル。
【請求項６】
第１の軸体と第２の軸体とが、払拭手段を備え、
前記払拭手段が、前記他方の端部が開かれた状態において、第１スリットと第２スリットとの後方に沿って伸びている、
ことを特徴とする請求項１乃至請求項５のいずれか一項に記載の吸引ノズル。
【請求項７】
縦型電気掃除機であって、
請求項１乃至請求項６のいずれか一項に記載の吸引ノズルを備え、
前記筒部は前記集塵管と一体をなし、傾倒部と、傾倒規制手段とを備え、
前記傾倒部が、前記集塵管を第１の軸体の軸心の周りに傾倒可能とさせ、
前記傾倒規制手段が、前記集塵管を前方に傾倒させる傾倒角度を規制させて自立させ、
第１の軸体の軸線と、前記一対の第２の軸体の軸線とを前方に鋭角をなす三角形形状とさせ、前記集塵管を前方に傾倒させて自立させた状態において、前記縦型電気掃除機本体の重心を通る垂直軸が前記三角形形状の範囲内にある、
ことを特徴とする縦型電気掃除機。
【請求項８】
前記筒部と前記縦型電気掃除機本体との間に、回動手段を備え、
前記回動手段が、前記筒部の軸心の周りに、前記縦型電気掃除機本体に対して、前記吸引ノズルを回動可能とさせている、
ことを特徴とする請求項７に記載の縦型電気掃除機。
【発明の詳細な説明】
【技術分野】
【０００１】
本発明は、電気掃除機の集塵管に装着される吸引ノズルに関する。より具体的には、広い場所でも、壁面と家具等の狭い隙間でも、掃除を行う場所に適した形状に変形させることができる吸引ノズルに関する。また、自立補助具を使用しなくても自立させることができる電気掃除機に関する。
【背景技術】
【０００２】
従来から、吸引ノズルが複数の吸引部からなり、各々の吸引部が水平面に沿って軸動可能とされた吸引ノズルの技術が知られている。特許文献１には、電気掃除機の集塵室から伸びる集塵管に装着される吸引ノズルの技術が開示されている。この文献に記載の技術によれば、吸引ノズルが左右に分割された吸口を備え、分割された吸口の形状を変化させることにより、掃除場所に応じて吸口を取り換えなくてもよいとされていた。
【０００３】
しかし、特許文献１に記載の技術は、従来の幅の吸口を左右に分割させ、回動可能とさせているため、吸口を左右に広げても、従来と比較して少ない回数の払拭で、広い場所を掃除することはできなかった。仮に分割させた吸口の幅を広くさせると、物が置かれた状態の部屋を掃除するには、吸口の幅が広くなりすぎて掃除がしにくくなるという課題があった。
【０００４】
特許文献２には、吸込面積を適切に増減させることで、室内の角隅部を迅速でかつ手軽に掃除することができ、特に、吸い込まれる異物が吸込部分にはさまったり固着したりすることのない吸込ユニットの技術が開示されている。この文献に記載の技術によれば、吸込ユニットは、電気掃除機の集塵管に装着される吸込具本体と、吸込具本体と一体をなす左右に分割された一対の補助吸込体とを備えている。各々の補助吸込体は、幅方向に伸縮可能とされると共に後方に向けて軸動可能とされている。
【０００５】
特許文献２に記載の技術によれば、一対の補助吸込体を後方に軸動させた状態では、先方が略直角形状をなし、部屋の隅を吸引しやすく、一対の補助吸込体を左右に引き伸ばして直線状とした状態では、広い幅を一度に払拭でき好適であった。しかし、家具と壁等の間の狭い隙間については、吸込具本体自体の幅が広いため挿し込んで掃除することができないという課題があった。
【０００６】
特許文献３には、基台の左右に備えられた可動吸込口体を前方及び後方に回動させることができると共に、吸引圧力を常に一定に保つことができる吸込口本体の技術が開示されている。この文献に記載の技術によれば、吸込口本体は、掃除機本体の連通管に接続される基台と、前記基台に対して回動可能とされた一対の可動吸込口体とを備えている。
【０００７】
しかし、特許文献３に記載の技術によれば、一対の可動吸込口体を左右に開いた状態と、前方又は後方に回動させた状態との吸込口の幅が大きく変わらないため、掃除を行う場所に応じて、掃除口の広狭の幅を調整することが困難であるという課題があった。そこで、本発明の発明者は、広い場所については少ない払拭回数で掃除できるように吸込口の幅を広くすることができ、狭い場所には挿し込みやすい吸引ノズルを鋭意開発し、本発明に想到した。更に、本発明の吸引ノズルを備えた自立式の電気掃除機を提供することにした。
【先行技術文献】
【特許文献】
【０００８】
特許文献１：実開平０１−７６７４７号公報
特許文献２：特開２００４−３５８２１２号公報
特許文献３：特開２０１３−１２８６１７号公報
【発明の概要】
【発明が解決しようとする課題】
【０００９】
本発明が解決しようとする課題は、広い場所でも、壁面と家具等の狭い隙間でも、掃除を行う場所に適した形状に変形させて、掃除することができる吸引ノズルを提供することである。また、前記吸引ノズルを備え、自立補助具を使用しなくても自立させることができる電気掃除機を提供することである。
【課題を解決するための手段】
【００１０】
本発明の第１の発明の吸引ノズルは、電気掃除機本体から伸びている集塵管に装着される吸引ノズルであって、塵の吸引部が、第１吸引部をなす第１の軸体と、第２吸引部をなす一対の第２の軸体とを含み、第１の軸体が軸線に沿って第１スリットを有する筒体とされると共に、第１の軸体の中央部に前記集塵管に装着される筒部を備え、第１の軸体の両端部に第２の軸体を連結させる水平軸動部を備え、前記一対の第２の軸体の各々が、軸線に沿って第２スリットを有する筒体とされ、一方の端部が前記水平軸動部に水平に軸動可能に連結されると共に、他方の端部が自由端とされ、各々の前記他方の端部を前方に軸動させて、第１の軸体の軸線と、前記一対の第２の軸体の軸線とが前方に鋭角をなす三角形形状とされても、各々の前記他方の端部を開いて第１の軸体の軸線と、前記一対の第２の軸体の軸線とが直線状とされても、第１スリットと一対の第２スリットとから塵の吸引が可能とされていることを特徴としている。
【００１１】
第１の軸体と第２の軸体との各々に、軸線に沿ってスリットを備えさせ、いずれのスリットからも塵を吸引できるようにしている。第２の軸体の自由端をなす端部を前方に軸動させた際に、吸引ノズルの形状が前方に鋭角をなす三角形形状とされ、椅子の脚部の間等の狭い場所に、挿し込んで掃除しやすい。一方、第２の軸体の自由端をなす端部を後方に展開し、第１の軸体と第２の軸体を直線状とすれば、吸引ノズルの幅が広くなり、広い幅で塵を吸引させることができる。これにより、場所に応じて、塵を効率的に吸引させることができる。
【００１２】
各々の軸体の長さは限定されず、電気掃除機の吸引能力等に応じて変更されればよい。水平軸動部は、第２の軸体の自由端をなす端部を前方に軸動させることができればよく、形態は限定されない。例えば、公知のヒンジにより、無段階に軸動させてもよく、ラチェット機構を有するヒンジにより多段階に軸動させてもよい。
【００１３】
水平軸動部において、一対の第２の軸体の軸線と、第１の軸体の軸線とが前方に鋭角をなす三角形形状とされるように軸動される。具体的には、各々の軸体を直線状に展開させた状態から、前記一対の第２の軸体の軸線のなす角が角度９０度以下の鋭角となるように、第２の軸体を前方に向けて軸動させられればよい。水平軸動部において、第２の軸体を左右対称に軸動させてもよく、いずれか一方のみを軸動させた状態としてもよいことは勿論のことである。
【００１４】
本発明の第１の発明によれば、部屋の角隅部であっても、障害物のない広い場所であっても、掃除を行う場所に適した形状に吸引ノズルを変形させることができ、効率的に掃除をすることができるという有利な効果を奏する。
【００１５】
本発明の第２の発明は、第１の発明の吸引ノズルであって、各々の第２の軸体の長さが等しくされていることを特徴としている。左右の第２の軸体の長さが等しいため、先方の三角形形状が二等辺三角形となり、吸引ノズルの前の方向が把握しやすいと共に、左右対称の形であるため吸引ノズルを破損させにくいという効果を奏する。
【００１６】
本発明の第３の発明は、第１又は第２の発明の吸引ノズルであって、各々の水平軸動部が、閉鎖手段と付勢手段とを備え、前記閉鎖手段は、紐体と複数の係止部とからなり、前記紐体の一方の端部が、第１の軸体に沿って伸びると共に各々の前記付勢手段に連結され、前記紐体の他方の端部が前記係止部のいずれかに係止され、前記紐体をいずれの係止部に係止させるかにより、第２の軸体を閉鎖する角度が変えられ、前記付勢手段が、第２の軸体を開くように付勢させ、第１の軸体に最も近い係止部に前記紐体を係止させると共に前記付勢手段に付勢させ、第２の軸体を開いて、第１の軸体と各々の第２の軸体とが直線状とされることを特徴としている。
【００１７】
係止部は、筒部に形成されてもよく、集塵管に形成されてもよい。複数の係止部は直線状に並んでいてもよく、筒部の周囲に螺旋状に並んでいてもよい。紐体の他方の端部を引っ張るだけで、各々の第２の軸体を閉じるように軸動させることができ、紐体の他方の端部を係止部に係止させれば、第２の軸体が付勢手段によって開かないようにさせることができる。そして、紐体の他方の端部を係止させる係止部の位置を変えれば、第２の軸体を閉鎖する角度を変えることができる。
【００１８】
また、水平軸動部が付勢手段を備えることにより、紐体が引っ張られていない状態においては、第２の軸体が開かれるように付勢されている。そうすると、前記紐体を、第１の軸体に最も近い係止部に係止させるだけで、吸引ノズルを直線状とすることができる。部屋の角隅部や狭い空間の清掃作業を終え、広い場所の清掃作業をする際であっても、吸引ノズルの形状を容易に変更させることができる。付勢手段は、公知の渦巻きバネ、コイルバネ等であればよく、限定されない。
【００１９】
本発明の第３の発明によれば、清掃作業の途中であっても、容易に吸引ノズルの形状を変形させることができる。掃除を行う場所に適した形状に吸引ノズルを変形させることが容易であることにより、清掃作業を効率化することができるという有利な効果を奏する。
【００２０】
本発明の第４の発明は、第１から第３の発明の吸引ノズルであって、第２の軸体に形成された第２スリットが、第２の軸体の軸心の周りに軸動可能とされ、第２スリットが向いた方向から、塵の吸引が可能とされていることを特徴としている。
【００２１】
第２スリットが、第２の軸体の軸心の周りに軸動可能とされるため、第２スリットが向けられる方向を任意に変更させることができる。例えば、家具側面と壁面とに挟まれた狭い隙間を掃除させるには、吸引ノズル全体を三角形形状とし垂直に起立させ、一方の第２スリットを家具の側面、他方の第２スリットを壁面に向けるようにすればよい。なお、一方の第２スリットを垂直面、他方の第２スリットを床面に向けるようにしてもよい。本発明の第４の発明によれば、家具と壁面とに挟まれた狭い隙間であっても、容易に掃除を行うことができるという有利な効果を奏する。
【００２２】
本発明の第５の発明は、第１から第４の発明の吸引ノズルであって、各々の第２の軸体は、前記他方の端部に切欠き部を備え、前記切欠き部が、前記他方の端部の向かい合う側に斜めに切り欠かれ、各々の前記他方の端部が前方に閉じられて、左右の第２スリットの間隔が縮小されることを特徴としている。
【００２３】
第２の軸体が切欠き部を備えることにより、左右の第２スリットの間隔をより短くさせることができる。これにより、吸引ノズルが前方に鋭角をなす三角形形状とされた状態において、前記三角形形状の前方頂部の位置における吸引力を強くさせることができる。特に、部屋の角隅部を掃除する際に、塵の吸い残しを低減させることができる。
【００２４】
本発明の第６の発明は、第１から第５の発明の吸引ノズルであって、第１の軸体と第２の軸体とが、払拭手段を備え、前記払拭手段が、前記他方の端部が開かれた状態において、第１スリットと第２スリットとの後方に沿って筋状に伸びていることを特徴としている。
【００２５】
払拭手段の形態は限定されず、例えば、各々の軸体から起立されたブラシであればよい。筋状に払拭手段が備えられることにより、床面と吸引口とが僅かに離間された状態とされ、車輪を設けなくても電気掃除機を床面に沿って摺動操作させることが容易となる。また、払拭手段が塵を吸引させる各々のスリットの後方に沿って備えられるため、第２の軸体を開いて直線状とし、吸引ノズルを前方に押し出すように移動させれば、塵が払拭手段に引っ掛かり集められ、払拭手段の前方にある吸引口から効率よく吸い込むことができる。
【００２６】
一方、吸引ノズルが三角形形状をなすように変形された状態では、払拭手段が第２スリットよりも前方に位置される。この場合には、吸引ノズルを手前に引き寄せるように操作させれば、部屋の角隅部に溜まった塵等を払拭手段で拭き出しながら、吸引口から効率よく吸い込むことができる。本発明の第６の発明によれば、電気掃除機の操作が容易となると共に、部屋の角隅部に溜まった塵であっても、効率よく吸い込むことができるという有利な効果を奏する。
【００２７】
本発明の第７の発明は、縦型電気掃除機であって、第１から第６の発明の吸引ノズルを備え、前記筒部は前記集塵管と一体をなし、傾倒部と、傾倒規制手段とを備え、前記傾倒部が、前記集塵管を第１の軸体の軸心の周りに傾倒可能とさせ、前記傾倒規制手段が、前記集塵管を前方に傾倒させる傾倒角度を規制させて自立させ、第１の軸体の軸線と、前記一対の第２の軸体の軸線とを前方に鋭角をなす三角形形状とさせ、前記集塵管を前方に傾倒させて自立させた状態において、前記縦型電気掃除機本体の重心を通る垂直軸が前記三角形形状の範囲内にあることを特徴としている。
【００２８】
縦型電気掃除機とは、縦に長い本体の底面に床用吸込口があり、本体の上部に付いたハンドルを把持して操作する一体形で、起立させたまま収納する電気掃除機をいう。縦型電気掃除機本体とは、吸引ノズルを除く部分、具体的には、集塵管、負圧発生手段、塵が蓄えられる集塵室、バッテリー、人に把持される把持部等をいう。傾倒部は、集塵管を第１の軸体の軸心の周りに傾倒可能であればよく、形態は限定されない。傾倒部は、電気掃除機の集塵管と一体に形成されてもよく、着脱可能に連結されてもよい。
【００２９】
傾倒規制手段は、電気掃除機を安定して自立させることができるように、集塵管を前方に傾倒させる傾倒角度を規制させている。例えば、傾倒部の前方側端部に床面と面接触される端面部を設け、前記端面部が床面に接触されることにより、集塵管の傾倒が規制されればよい。
【００３０】
縦型電気掃除機を自立させる際には、まず第１の軸体の軸線と第２の軸体の軸線とを前方に鋭角をなす三角形形状をなす状態とさせ、次いで、集塵管を前方に向けて傾倒させる。そして、集塵管の傾倒が規制される角度に至ると、縦型電気掃除機本体の重心を通る垂直軸が、前記三角形形状の範囲内となり、縦型電気掃除機が自立される。
【００３１】
縦型電気掃除機本体の重心が、三角形形状の範囲内にあるため、集塵管がいずれの方向にも傾きにくく、縦型電気掃除機を安定した状態で自立させることができる。本発明の第７の発明によれば、縦型電気掃除機を、自立補助具を使用しなくても、安定した状態で自立させることができるという従来にない有利な効果を奏する。
【００３２】
本発明の第８の発明は、第７の発明の電気掃除機であって、前記筒部と前記縦型電気掃除機本体との間に、回動手段を備え、前記回動手段が、前記筒部の軸心の周りに、前記縦型電気掃除機本体に対して、前記吸引ノズルを回動可能とさせていることを特徴としている。本発明の第８の発明によれば、吸引ノズルを傾けて狭い隙間を掃除させる場合であっても、電気掃除機の本体部を傾ける必要がなく、操作性をより向上させることができる。
【発明の効果】
【００３３】
・本発明の第１の発明によれば、部屋の角隅部であっても、障害物のない広い場所であっても、掃除を行う場所に適した形状に吸引ノズルを変形させることができ、効率的に掃除をすることができるという有利な効果を奏する。
・本発明の第２の発明によれば、先方の三角形形状が二等辺三角形となり、吸引ノズルの前の方向が把握しやすいと共に、左右対称の形であるため吸引ノズルを破損させにくいという効果を奏する。
・本発明の第３の発明によれば、掃除を行う場所に適した形状に吸引ノズルを変形させることが容易であることにより、清掃作業を効率化することができるという有利な効果を奏する。
【００３４】
・本発明の第４の発明によれば、家具と壁面とに挟まれた狭い隙間であっても、容易に掃除を行うことができるという有利な効果を奏する。
・本発明の第５の発明によれば、吸引ノズルが前方に鋭角をなす三角形形状とされた状態において、前記三角形形状の前方頂部の位置における吸引力を強くさせることができる。
・本発明の第６の発明によれば、電気掃除機の操作が容易となると共に、部屋の角隅部に溜まった塵であっても、効率よく吸い込むことができるという有利な効果を奏する。
【００３５】
・本発明の第７の発明によれば、縦型電気掃除機を、自立補助具を使用しなくても、安定した状態で自立させることができるという従来にない有利な効果を奏する。
・本発明の第８の発明によれば、吸引ノズルを傾けて狭い隙間を掃除させる場合であっても、電気掃除機の本体部を傾ける必要がなく、操作性をより向上させることができる。
【図面の簡単な説明】
【００３６】
【図１】吸引ノズルを有する電気掃除機の斜視図（実施例１）。
【図２】水平軸動部の構造を説明する斜視図（実施例１）。
【図３】水平軸動部の動作を説明する平面図（実施例１）。
【図４】傾倒部を説明する断面端面図（実施例１）。
【図５】傾倒部の軸動角度を選択できる吸引ノズルを説明する平面図（実施例２）。
【図６】第２の軸体が内筒と外筒とを備える吸引ノズルを説明する説明図（実施例３）。
【発明を実施するための形態】
【００３７】
吸引ノズルをなす塵の吸引部を、第１吸引部をなす第１の軸体と、第２吸引部をなす一対の第２の軸体とから構成した。第１の軸体の両端部に、第２の軸体を連結させる水平軸動部を備えさせた。第２の軸体の一方の端部を、水平軸動部に水平に軸動可能に連結させた。各々の第２の軸体の他方の端部を前方に軸動させて、第１の軸体の軸線と前記一対の第２の軸体の軸線とが前方に鋭角をなす三角形形状とされても、各々の前記他方の端部を開いて第１の軸体の軸線と前記一対の第２の軸体の軸線とが直線状とされても、塵の吸引を可能とさせた。
【実施例１】
【００３８】
実施例１においては、吸引ノズル１の構成を、図１から図４を参照して説明する。図１は吸引ノズル１を備えた縦型電気掃除機１００の全体斜視図を示している。図１（Ａ）図は、吸引ノズルをなす第１の軸体１０と第２の軸体２０とを直線状に開いた状態を示し、図１（Ｂ）図は、縦型電気掃除機を自立させる際に、吸引ノズルを三角形形状とさせた状態を示している。また、図１（Ａ）図においては、縦型電気掃除機を自立させる際の操作と、各々の水平軸動部３０および集塵管の動作方向を矢印で示している。図１（Ｂ）図においては、縦型電気掃除機本体の重心を通る垂直軸を一点鎖線で示している。
【００３９】
図２は、水平軸動部３０の構成を説明する説明図を示している。図２（Ａ）図は、水平軸動部を組立てた状態を示し、図２（Ｂ）図は、水平軸動部の分解斜視図を示している。図３は、吸引ノズル１の平面図と底面図とを示している。図３（Ａ-１）図は、吸引ノズル１をなす第１の軸体１０と第２の軸体２０とを直線状に開いた状態における平面図を示し、図３（Ａ-２）図は、同一の状態における底面図を示している。図３（Ｂ-１）図は、第１の軸体の軸線と第２の軸体の軸線とが前方に鋭角をなす三角形形状とされた状態の平面図を示し、図３（Ｂ-２）図は、同一の状態における底面図を示している。また、理解を容易にするため、底面図においては、塵を吸引させる各々のスリットの後方に沿って備えられる払拭手段を斜線を付して示している。
【００４０】
図４は、傾倒部５０の傾倒角度を説明する説明図であり、傾倒部５０と第１の軸体１０をなす筒体との垂直方向の断面端面図を示している。図４においては、垂線を破線で示すと共に、床面を太線で示している。図４（Ａ）図は、傾倒部を垂線よりも後方に３０度傾倒させた状態を示し、図４（Ｂ）図は、傾倒部を垂線よりも後方に９０度傾倒させた状態を示し、図４（Ｃ）図は、傾倒部を垂線よりも前方に５度傾倒させた状態を示している。
【００４１】
縦型電気掃除機１００は、縦型電気掃除機本体１０１と、集塵管１０２と、集塵管に装着される吸引ノズル１とからなっている（図１（Ａ）図参照）。縦型電気掃除機本体１０１は、吸引された塵が蓄積される集塵室１０３と、負圧を発生させる負圧発生手段１０４と、負圧発生手段を作動させるバッテリー１０５と、把持部１０６を備えている。集塵管１０２は、縦型電気掃除機を自立させるに足る剛性を有した直管とされ、一方の端部が集塵室１０３に連結され、他方の端部が第１の軸体１０に装着される（図１（Ａ）図、図４参照）。
【００４２】
吸引ノズル１は、第１の軸体１０と、第１の軸体に連結される一対の第２の軸体２０とを備えている。第１の軸体は水平軸動部３０を備えている。また、吸引ノズル１は、第２の軸体２０を閉じるように軸動させる閉鎖手段４０を備えている。第１の軸体１０及び第２の軸体２０は、いずれも、軸線に沿ってスリットを有する筒体とされ、各々のスリットから塵を吸引させ、吸引された塵は、筒体の内部を通って前記集塵管１０２に送られる。
【００４３】
第１の軸体１０は、両端部に第２の軸体を水平に軸動させる水平軸動部３０，３０を備えている（図１（Ａ）図参照）。また、一対の水平軸動部３０に挟まれた中央部１１に、集塵管に装着される筒部１２を有している（図１，図４参照）。筒部１２が、集塵管１０２を第１の軸体１０の軸心周りに傾倒させる傾倒部５０と、集塵管１０２を前方に傾倒させる傾倒角度を規制させて自立させる傾倒規制手段５１と一体をなしている。第１の軸体１０の長さは、水平軸動部を含めて約２５ｃｍであり、各々の第２の軸体の長さは約１０ｃｍとされる。
【００４４】
水平軸動部３０は、直径が約８ｃｍ、高さが約５ｃｍの中空の円筒状体とされ、前方側面に側面開口３１を備えている（図２（Ａ）図参照）。前記側面開口からは、第２の軸体２０が装着される装着筒部３２が突き出され、側面開口３１に沿って前記装着筒部３２が軸動されることにより、第２の軸体２０が水平面に沿って前方に向けて軸動される。水平軸動部３０の具体的な構成は、蓋部材３３と、蓋部材と係合される底部材３４と、蓋部材と底部材との間に嵌合される軸動部材３５と、第２の軸体を外方に向けて付勢させる付勢手段をなす渦巻きバネ３６と、前記閉鎖手段をなす紐体の一方の端部が係止されるねじ軸体３７とからなっている（図２（Ｂ）図参照）。
【００４５】
蓋部材３３は、天面にねじ軸体が挿通されるスライド溝３３１を有している。スライド溝３３１は、水平軸動部３０の軸心を円心とする円弧形状の細幅の貫通溝であり、ねじ軸体３７の中心軸が前記円心の周りに１２０度軸動できるように、１２０度よりも僅かに長くされている。また、蓋部材３３の下面には、渦巻きバネ３６を固着させる突部３３２が備えられている。
【００４６】
底部材３４は、外形が底部を有する略円筒形状とされている。底部材３４は、内方側の側面に第１の軸体１０の中央部１１と連通される連通孔３４１が備えられる。更に、前方側面に前記側面開口３１をなす切欠きが備えられ、底面に第１の軸体から連続される第１スリット１３が備えられる。また、底部材の底面内面３４２には、前記軸動部材３５が嵌合された状態において、軸動部材３５と底面内面３４２との間に隙間をあける段差部３４３が備えられ、前記連通孔３４１が軸動部材３５の側面により閉塞されないようにしている。底部材３４は、予め第１の軸体の中央部１１と一体に形成されてもよく、二つの部材がビス止めや接着剤等により一体にされてもよい。
【００４７】
軸動部材３５は、外形が天部を有する略円筒形状とされ、水平軸動部の軸心の周りに軸動されるように、前記底部材３４と前記蓋部材３１との間に嵌合される（図２（Ａ）図及び図２（Ｂ）図参照）。軸動部材３５が底部材と蓋部材とに嵌合されることにより、軸動部材の側面３５１が、側面開口３１を閉鎖させる。軸動部材の側面には、第２の軸体に連通される装着筒部３２が一体に備えられる。軸動部材３５の天部には、スライド溝に挿通されたねじ軸体３７が螺合されるねじ穴３５２が備えられている。
【００４８】
付勢手段は、公知の渦巻きバネ３６とされている。渦巻きバネ３６の中心には、前記蓋部材３３の下面に備えられる突部３３２に固着させる中心受部３６１が備えられ、外端には、ねじ軸体が挿通される外端受部３６２が備えられている（図２（Ｂ）図参照）。渦巻きバネ３６と一体をなすねじ軸体３７には、閉鎖手段４０をなす紐体４１の一方の端部が係止され、紐体４１が引っ張られることにより第２の軸体２０を軸動させることができる（図１（Ａ）図矢印Ａ，矢印Ｂ参照）。
【００４９】
閉鎖手段４０は、各々の付勢手段に係止される一対の紐体４１と、複数の係止部４２，４３とからなる（図１参照）。また、紐体４１を挿通させて集塵管１０２に沿わせた状態とさせる環状部材４４と、紐体に張力を掛けやすくする滑車４５とを備えている。紐体４１の一方の端部は、第１の軸体１０に沿って伸び、前記ねじ軸体３７に係止されている。紐体４１の他方の端部は、集塵管１０２に沿って伸び、いずれかの係止部４２，４３に係止され、第２の軸体２０の軸動角度を変えられるようにしている。実施例１では、第２の軸体２０を開いて、各々の軸体の軸線が直線状をなした場合（図１（Ａ）図参照）と、第２の軸体２０を閉鎖して、各々の軸体の軸線が略正三角形形状をなした場合（図１（Ｂ）図参照）とが選択できるようにしている。
【００５０】
紐体４１の他方の端部は、それぞれが一つの環体４６に係止されている。係止部は、前記環体を引っ掛けて係止させる爪状の係止部４２と、前記環体４６の抜け止めをなす環状の係止部４３とされる。爪状の係止部４２は、先端が縦型電気掃除機本体１０１に向けて屈曲された爪とされ、装着部材４７を介して集塵管に着脱自在に装着される。
【００５１】
環状の係止部４３は、爪状の係止部４２よりも第１の軸部１０に近い位置に、かつ、第１の軸体と第２の軸体とが直線とされる状態（図１（Ａ）図）に、紐体４１が弛まないように爪状の係止部と同様に形成された装着部材４７を介して、集塵管１０２に着脱自在に装着される。いずれの係止部４２，４３も集塵管に着脱自在に装着される装着部材４７を介して装着されるため、本発明の吸引ノズルを、既に所有している既製の電気掃除機に容易に適用させることができる。
【００５２】
また、各々の紐体４１の中間部は、第１の軸体の近傍に配された前記環状部材４４と、水平軸動部の天面に備えられた滑車４５とに挿通され、それぞれが紐体４１を第１の軸体１０と集塵管１０２とに沿わせた状態とさせている。環状部材４４は、爪状の係止部と同一の装着部材４７を介して集塵管に着脱自在に装着される。
【００５３】
紐体４１に張力が掛かっていない状態においては、水平軸動部３０は、前記渦巻きバネ３６（図２参照）の付勢力により、第２の軸体２０が開かれた状態とされる（図３（Ａ−１）図参照）。第２の軸体２０の他方の端部２１を前方に軸動させる際には、紐体に係止された環体４６を縦型電気掃除機本体１０１に向けて引き上げる（図１（Ａ）図矢印Ａ参照）。そうすると、渦巻きバネの付勢力に抗して、前記ねじ軸３７がスライド溝３３１に沿って内方にスライドされ、ねじ軸のスライドに連動して各々の第２の軸体２０が前方に軸動される（図１（Ａ）図矢印Ｂ，Ｂ参照）。環体４６が爪状の係止部４２に係止されることにより、第２の軸体２０が前方に１２０度軸動された状態で固定される（図１（Ｂ）図，図３（Ｂ−１）図参照）。
【００５４】
傾倒部５０と傾倒規制手段５１とは、集塵管１０２に挿し込んで接続される筒部１２と一体をなしている（図１（Ａ）図，図４参照）。傾倒部５０は、第１の軸体の中央部１１に外嵌させる抱持部５２を有し、抱持部５２の側面から筒部１２が伸びている。抱持部５２は、側面に軸方向に貫通される開放部５３を有し、開放部５３から中央部１１の側面を挿し込んで外嵌される。第１の軸体の中央部１１には、抱持部５３が軸線方向にずれないように、一対の突条部５４（図３参照）が備えられている。一対の突条部の間には貫通孔５５（図４参照）が備えられ、筒部１２を介して、第１の軸体１０の内部の空間と集塵管１０２とを連通させている。
【００５５】
貫通孔５５は、傾倒部５０と集塵管１０２とを、垂線（図４破線参照）よりも後方に３０度から９０度傾けた傾倒角度において、貫通孔５５の一部と集塵管１０２とが連通されるように形成されている。そのため、抱持部５２の後方側が第１の軸体の中央部１１の径に沿って伸びる長さは、この傾倒角度において、貫通孔５５が外部に露出されず、かつ、第１スリット１３に至らない長さとされている（図４（Ａ）図，図４（Ｂ）図参照）。
【００５６】
抱持部５２の前方側が第１の軸体の中央部１１の径に沿って伸びる長さは、縦型電気掃除機を自立させる際に、端部に設けられた傾倒規制手段５１をなす端面部が、床面と面接触される長さとされている。具体的には、傾倒部５０を垂線よりも前方に約５度傾けた状態において、前記傾倒規制手段５１が床面に接するようにされている（図４（Ｃ）図参照）。また、抱持部５２は、第１の軸体１０から脱落しにくい周長とされている（図４（Ａ）図一点鎖線Ａから時計回りでＢまで参照）。なお、縦型電気掃除機を自立させる際には、塵の吸引がされないため、貫通孔５５が露出されていてもよい（図４（Ｃ）図参照）。
【００５７】
縦型電気掃除機１００を自立させる際には、各々の第２の軸体２０の他方の端部２１を前方に軸動させ、第１の軸体１０の軸線と第２の軸体２０の軸線とが前方に鋭角をなす三角形形状をなす状態とさせる（図１（Ｂ）図参照）。そして、集塵管１０２を垂線よりも前方に傾倒させると、傾倒規制手段５１が床面に接し、集塵管１０２の前方への傾倒が規制される（図４（Ｃ）図参照）。この状態において、縦型電気掃除機本体の重心を通る垂直軸（図１（Ｂ）図一点鎖線参照）が、第１の軸体１０と一対の第２の軸体２０，２０とに囲まれた前記三角形形状の範囲内にある状態とされる。これにより、自立補助具を使用しなくても、縦型電気掃除機を安定した状態で自立させることができる。
【００５８】
また、第１の軸体１０と第２の軸体２０は、下面に軸線に沿って伸びる筋状のスリットを有している。第１の軸体に備えられる第１スリット１３は、第１の軸体の中央部１１と、その両側の水平軸動部３０，３０まで連続して備えられている（図３（Ａ−２）図）。第２の軸体に備えられる第２スリット２２は、水平軸動部３０を介して第１の軸体１０の内部空間に連通される（図２（Ｂ）図、図３（Ｂ−２）図参照）。また、払拭手段１４，２３が、第１スリット１３と第２スリット２２との後方に沿って筋状に配設されている。払拭手段は、各々の軸体の下面に植立されたブラシとされている。払拭手段により、各々のスリットと床面とが僅かに離間された状態（図４参照）となり、吸引ノズルを床面に沿って摺動させることが容易となる。
【００５９】
第２の軸体２０を開いた状態（図３（Ａ−２）図参照）においては、吸引ノズルを前方に向けて押し出すように掃除を行うと、払拭手段１４，２３に塵が引っ掛かって第１スリット１３と第２スリット２２との近くに集められ、効率よく塵を吸引させることができる。一方、第１の軸体１０の軸線と、第２の軸体２０の軸線とが、前方に鋭角をなす三角形形状となるように軸動させた状態（図３（Ｂ−２）図参照）においては、第２の軸体２０については、払拭手段２３が第２スリット２２よりも前方に位置されるようになる。
【００６０】
この場合には、吸引ノズル１を手前に引き寄せるように掃除を行うと、払拭手段２３により部屋の角隅部に溜まった塵等を掃き出して集めて、第２スリット２２から吸引させることができる。この状態で、吸引ノズルを往復移動させて掃除を行ってもよいことは勿論のことである。また、第２の軸体の他方の端部２１の向かい合う側には、切欠き部２４が備えられる。そうすると、第２の軸体２０が１２０度軸動され、吸引ノズルの平面形状が三角形形状をなした状態において、各々の第２の軸体に形成された第２スリット２２，２２の間隔が縮小される。これにより、切欠き部２４，２４が向かい合う三角形形状の頂部の位置において、第２スリット２２の吸引力を高くさせることができ、部屋の角隅部に溜まった塵であっても、効率よく吸引させることができる。
【実施例２】
【００６１】
実施例２においては、水平軸動部の軸動角度を多段階に選択させることができる吸引ノズル２を、図５を参照して説明する。図５（Ａ）図は、実施例１と同様に、水平軸動部を１２０度軸動させ、係止部により第２の軸体の軸動を固定させた状態を示している。図５（Ｂ）図は、水平軸動部を９０度軸動させ、係止部により第２の軸体の軸動を固定させた状態を示している。図５（Ｃ）図は、水平軸動部を１３５度軸動させ、係止部により第２の軸体の軸動を固定させた状態を示している。
【００６２】
吸引ノズル２をなす水平軸動部３８は、第２の軸体６０を開いて直線状にさせた状態から、１３５度軸動可能とされる。集塵管１０２には、水平軸動部の軸動角度を多段階に選択できるように、集塵管の第１の軸体に近い側から順に、環状の係止部４３が備えられ、第２の軸体６０を９０度軸動させる位置に爪状の係止部４８、１２０度軸動させる位置に爪状の係止部４２、１３５度軸動させる位置に爪状の係止部４９の合計４つの係止部が備えられる（図５（Ａ）図参照）。
【００６３】
吸引ノズル２においては、水平軸動部３８の軸動角度を多段階に選択させることができる。これにより、掃除を行う場所に適合された形状に変形させることが容易となる。例えば、第２の軸体６０を、９０度軸動させると共に、紐体４１を係止部４８に係止させて、前方に長く突き出した状態にさせる（図５（Ｂ）図参照）。この状態の場合には、車輪付きの家具と床面との隙間といった高さが低い隙間であっても、集塵管１０２を水平に近づけるように傾けることなく、吸引ノズルを隙間に挿し込むことができ、掃除が容易となる。
【００６４】
第２の軸体６０を、１３５度軸動させると共に、紐体４１を係止部４９に係止させて、各々の軸体の軸線がなす三角形形状の前方頂部を９０度にさせる（図５（Ｃ）図参照）。この状態においては、部屋の角隅部であっても、吸引ノズル２を二つの壁面に沿わせて掃除することが容易となる。また、第２の軸体の縁部６１は、壁面（図５（Ｃ）図一点鎖線参照）に沿うようにされている。第２の軸体６０に備えられる第２スリット６２は、壁際に溜まった塵を吸引させやすいように、前記縁部６１の近傍に備えられる。切欠き部６３は、第２の軸体６０を１３５度軸動させた状態で、対向されるように切り欠かれている。
【実施例３】
【００６５】
実施例３においては、第２スリットが第２の軸体の軸心周りに軸動可能とされた吸引ノズル３の筒部１５が、縦型電気掃除機１１０の集塵管１０２に回動可能に装着されている実施例を、図６を参照して説明する。図６（Ａ）図は、壁際に設置された家具２００と、壁２１０とに挟まれた狭い隙間２２０に吸引ノズル３を挿し入れて掃除をしている状態を示している。図６（Ｂ）図は、図６（Ａ）図の吸引ノズル３を壁面側から看た図を示している。図６（Ｃ−１）図は、図６（Ｂ）図のＡ−Ａ位置における断面端面図を示し、図６（Ｃ−２）図は、図６（Ｂ）図のＢ−Ｂ位置における断面端面図を示している。
【００６６】
吸引ノズル３は、各々の第２の軸体７０が、水平軸動部をなす装着筒部３２に軸動可能に連結されている（図６（Ｂ）図参照）。各々の第２の軸体７０に形成された第２スリット６２は、第２の軸体７０を軸心の周りに軸動させることにより向きを変えることができる。また、第１の軸体１０の中央部から伸びる筒部１５が、回動部１６により縦型電気掃除機本体１０１に繋がり、吸引ノズル全体が筒部１５の軸心の周りに回動可能とされている（図６（Ａ）図参照）。
【００６７】
また、各々の第２の軸体７０は、第２スリットが貫通されて吸引可能なように、メッシュ状に貫通孔が形成された内筒７１と、スリット状に貫通孔が形成された外筒７２の二重の筒体からなっている。図６（Ｂ）図は、壁２１０と家具２００の間に、吸引ノズルの下方側の第２の軸体７０の第２スリット６２が床に向き、吸引ノズル３の上方側の第２の軸体７０の第２スリット６２が壁に向くように、外筒７２を内筒７１に対して軸動させた状態で、吸引ノズル３全体を筒部１５の軸心の周りに回動させて挿し込んだ状態を示している。
【００６８】
各々の第２の軸体７０，７０の一方の第２スリット６２が床に向き、他方の第２スリットが壁に向いているため、床面と壁面とを同時に掃除することができる。なお、各々の第２の軸体７０，７０の一方の第２スリット６２を壁面側に、他方の第２スリット６２を家具面側に向けるように軸動させれば、壁と家具との間の隙間に向いた垂直面の両側を同時に掃除することができる。
【００６９】
また、吸引ノズル３全体を筒部１５の軸心の周りに回動させているため、吸引ノズル３を前後に移動させる際にも、手首を捻るなどの操作を必要とせず、縦型電気掃除機本体１０１を前後に移動させるだけでよく、狭い場所を掃除する場合でも掃除作業が容易である。
【００７０】
（その他）
・前記の実施例１で具体的な寸法は一例であり、これに限定されないことは勿論のことである。
・前記の実施例では、水平軸動部を中空の円筒状態の蓋部材と底部材としているが、これを蛇腹形状の水平軸動部としてもよいことは勿論のことである。
・本実施例においては、閉鎖手段をなす係止部について、既に所有している電気掃除機に本発明の吸引ノズルを適用させるように、装着部材を介して集塵管に装着させる例を説明したが、筒部又は集塵管と一体に、係止部を形成させてもよいことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００７１】
１，２，３…吸引ノズル、１００，１１０…縦型電気掃除機、
１０…第１の軸体、２０，６０，７０…第２の軸体、３０，３８…水平軸動部、
４０…閉鎖手段、５０…傾倒部、
１１…中央部、１２…筒部、１３…第１スリット、１４…払拭手段、
１５…筒部、１６…回動部、
２１…他方の端部、２２…第２スリット、２３…払拭手段、２４…切欠き部、
３１…側面開口、３２…装着筒部、３３…蓋部材、３４…底部材、
３５…軸動部材、３６…渦巻きバネ、３７…ねじ軸体、
３３１…スライド溝、３３２…突部、
３４１…連通孔、３４２…底面内面、３４３…段差部、
３５１…側面、３５２…ねじ穴、
３６１…中心受部、３６２…外端受部、
４１…紐体、４２,４３…係止部、４４…環状部材、４５…滑車、
４６…環体、４７…装着部材、４８，４９…係止部、
５１…傾倒規制手段、５２…抱持部、５３…開放部、５４…突条部、５５…貫通孔、
６１…縁部、６２…第２スリット、６３…切欠き部、
７１…内筒、７２…外筒、
１０１…縦型電気掃除機本体、１０２…集塵管、１０３…集塵室、
１０４…負圧発生手段、１０５…バッテリー、１０６…把持部、
２００…家具、２１０…壁、２２０…隙間、２３０…床面
【図１】
2020130244.tif 000003
【図２】
2020130244.tif 000004
【図３】
2020130244.tif 000005
【図４】
2020130244.tif 000006
【図５】
2020130244.tif 000007
【図６】
2020130244.tif 000008
【手続補正書】
【提出日】令和1年7月10日(2019.7.10)
【手続補正１】
【補正対象書類名】特許請求の範囲
【補正対象項目名】請求項１
【補正方法】変更
【補正の内容】
【請求項１】
電気掃除機本体から伸びている集塵管に装着される吸引ノズルであって、
塵の吸引部が、第１吸引部をなす第１の軸体と、第２吸引部をなす一対の第２の軸体とを含み、
第１の軸体の軸線が、前記集塵管の中心軸に交差される方向に伸び、第１の軸体がその軸線に沿って伸びる第１スリットを有する筒体とされると共に、第１の軸体の中央部に前記集塵管に装着される筒部を備え、第１の軸体の両端部に第２の軸体を連結させる水平軸動部を備え、
前記一対の第２の軸体の各々が、その各々の軸線に沿って伸びる第２スリットを有する筒体とされ、一方の端部が前記水平軸動部に水平に軸動可能に連結されると共に、他方の端部が自由端とされ、
各々の前記他方の端部を前方に軸動させて、第１の軸体の軸線と、前記一対の第２の軸体の軸線とが前方に鋭角をなす三角形形状とされても、各々の前記他方の端部を開いて第１の軸体の軸線と、前記一対の第２の軸体の軸線とが直線状とされても、第１スリットと一対の第２スリットとから塵の吸引が可能とされている、
ことを特徴とする吸引ノズル。
【手続補正２】
【補正対象書類名】明細書
【補正対象項目名】００１０
【補正方法】変更
【補正の内容】
【００１０】
本発明の第１の発明の吸引ノズルは、電気掃除機本体から伸びている集塵管に装着される吸引ノズルであって、塵の吸引部が、第１吸引部をなす第１の軸体と、第２吸引部をなす一対の第２の軸体とを含み、第１の軸体の軸線が、前記集塵管の中心軸に交差される方向に伸び、第１の軸体がその軸線に沿って伸びる第１スリットを有する筒体とされると共に、第１の軸体の中央部に前記集塵管に装着される筒部を備え、第１の軸体の両端部に第２の軸体を連結させる水平軸動部を備え、前記一対の第２の軸体の各々が、その各々の軸線に沿って伸びる第２スリットを有する筒体とされ、一方の端部が前記水平軸動部に水平に軸動可能に連結されると共に、他方の端部が自由端とされ、各々の前記他方の端部を前方に軸動させて、第１の軸体の軸線と、前記一対の第２の軸体の軸線とが前方に鋭角をなす三角形形状とされても、各々の前記他方の端部を開いて第１の軸体の軸線と、前記一対の第２の軸体の軸線とが直線状とされても、第１スリットと一対の第２スリットとから塵の吸引が可能とされていることを特徴としている。